(57)【要約】【課題】ストラップ取付部を有効に利用することでケースの小型化を図りつつケースを把持しやすい撮像装置を提供する。【解決手段】ケース１０２の右側部１０２Ｄにストラップ取付用のストラップ取付部４０が設けられている。ストラップ取付部４０は、ケース１０２の外側（右側方）に突出する壁部４００１と、壁部４００１に形成されたストラップ挿通用の孔４００６とで構成されている。壁部４００１は、ケース１０２の前面１０２Ａに右手の中指または薬指または中指および薬指の双方を当て付けかつ壁部４００１に右手の親指を当て付けた状態でケース１０２を保持できる輪郭で形成されている。【選択図】        図１０
2005284006.tif 000002
【特許請求の範囲】
【請求項１】
ケースと、
前記ケースに該ケースの前方に臨むように設けられたレンズ鏡筒と、
前記ケースの後面に該ケースの後方に臨むように設けられ前記レンズ鏡筒で撮像した像を表示する表示面とを備えた撮像装置であって、
前記ケースの縁部にストラップ取付用のストラップ取付部が設けられ、
前記ストラップ取付部は、前記ケースの前面に中指または薬指または中指および薬指の双方を当て付けかつ該ストラップ取付部に親指を当て付けた状態で前記ケースを片手で保持できる輪郭で形成されている、
ことを特徴とする撮像装置。
【請求項２】
ケースと、
前記ケースに該ケースの前方に臨むように設けられたレンズ鏡筒と、
前記ケースの後面に該ケースの後方に臨むように設けられ前記レンズ鏡筒で撮像した像を表示する表示面とを備えた撮像装置であって、
前記ケースの縁部にストラップ取付用のストラップ取付部が設けられ、
前記ストラップ取付部は、前記ケースの外側に突出する壁部と、前記壁部に設けられたストラップ挿通用の孔とで構成され、
前記壁部は、前記ケースの前面に中指または薬指または中指および薬指の双方を当て付けかつ前記壁部に親指を当て付けた状態で前記ケースを片手で保持できる輪郭で形成されている、
ことを特徴とする撮像装置。
【請求項３】
前記ストラップ取付部が設けられた前記ケースの縁部は、前記ケースの左右方向における側部であることを特徴とする請求項１または２記載の撮像装置。
【請求項４】
前記ストラップ取付部が設けられた前記ケースの縁部は、前記ケースの左右方向における側部であり、前記壁部は前記側部の上下方向の中間部に上下方向にわたって延在形成されていることを特徴とする請求項１記載の撮像装置。
【請求項５】
前記壁部は、親指の腹部で親指の長手方向における少なくとも半分程度の部分が当て付けられる長さで上下方向に延在形成されていることを特徴とする請求項１記載の撮像装置。
【請求項６】
前記壁部は前記ケースの後面寄りに設けられていることを特徴とする請求項１記載の撮像装置。
【請求項７】
前記壁部のうち後方に位置する箇所は、前記ケースの後面よりも後方に位置していることを特徴とする請求項１記載の撮像装置。
【請求項８】
前記ストラップ取付部が設けられた前記ケースの縁部は、前記ケースの左右方向における側部であり、前記壁部は前記側部の上下方向の中間部に上下方向にわたって延在形成され、前記壁部は、前記ケースに出没可能に設けられていることを特徴とする請求項１記載の撮像装置。
【請求項９】
前記ストラップ取付部が設けられた前記ケースの縁部は、前記ケースの左右方向における側部であり、前記壁部は前記側部の上下方向の中間部に上下方向にわたって延在形成され、前記壁部は、前記ケースに没入した没入位置と前記ケースから突出した突出位置との間で出没可能に設けられ、前記壁部を前記没入位置にロックするロック機構が設けられ、前記ロック機構のロックを解除する解除ボタンが、前記壁部に当て付けた親指で操作できる前記ケースの後面箇所に設けられていることを特徴とする請求項１記載の撮像装置。
【請求項１０】
前記壁部が前記撮像装置の後方に臨む箇所は後面として形成され、前記後面は前方に窪む凹面を含んで構成されていることを特徴とする請求項１記載の撮像装置。
【請求項１１】
前記壁部が前記撮像装置の後方に臨む箇所は後面として形成され、前記後面は前方に窪む凹面を含んで構成され、前記ストラップ挿通用の孔は前記凹面の中央に貫設されていることを特徴とする請求項１記載の撮像装置。
【請求項１２】
前記壁部は前記ケースと一体的に設けられていることを特徴とする請求項１記載の撮像装置。
【請求項１３】
前記ケースは前後方向の厚さと左右方向の幅とを有して矩形板状に形成されていることを特徴とする請求項１または２記載の撮像装置。
【請求項１４】
前記表示面は表示パネルに設けられ、前記ストラップ取付部が設けられた前記ケースの縁部は、前記ケースの右側部であり、前記レンズ鏡筒は、前記ケース内部の左側部寄りの箇所に配置され、前記表示パネルは前記レンズ鏡筒の右に並べられて前記ケース内部の右側部寄りの箇所に配置され、前記表示面は、前記表示パネルが前記ケースの後面の開口の内側に臨む部分で構成されていることを特徴とする請求項１または２記載の撮像装置。
【請求項１５】
前記ストラップ取付部が設けられた前記ケースの縁部は前記ケースの右側部であり、前記表示面は表示パネルに設けられ、前記表示面は、前記表示パネルが前記ケースの後面の開口の内側に臨む部分で構成され、前記表示パネルはその表示面に触れることでスイッチとしての機能を果たすタッチパネルとして構成され、前記表示面のうち前記ストラップ取付部寄りの領域である右側の領域が前記タッチパネルのスイッチを形成しない非スイッチ領域として設定され、前記非スイッチ領域は前記表示面の左右方向の少なくとも１／４を占める割合で設けられていることを特徴とする請求項１または２記載の撮像装置。
【請求項１６】
前記ストラップ取付部が設けられた前記ケースの縁部は前記ケースの右側部であり、前記表示面は表示パネルに設けられ、前記表示面は、前記表示パネルが前記ケースの後面の開口の内側に臨む部分で構成され、前記表示パネルはその表示面に触れることでスイッチとしての機能を果たすタッチパネルとして構成され、前記表示面のうち前記ストラップ取付部寄りの領域である右側の領域が前記タッチパネルのスイッチを形成しない非スイッチ領域として設定され、前記非スイッチ領域は前記表示面の左右方向の少なくとも１／４を占める割合で設けられ、前記非スイッチ領域の設定は、少なくとも前記撮像装置が撮影可能な状態であるときに有効とされることを特徴とする請求項１または２記載の撮像装置。
【発明の詳細な説明】
【技術分野】
【０００１】
本発明は撮像装置に関する。
【背景技術】
【０００２】
矩形板状のケースと、ケースに該ケースの前方に臨むように設けられたレンズ鏡筒と、ケースの後面に該ケースの後方に臨むように設けられレンズ鏡筒で撮像した像を表示する表示面とを備えた撮像装置が提供されており、近年、この種の撮像装置のより一層の小型化が図られている。
一方、フィルム式カメラやデジタルスチルカメラなどの撮像装置のケースには、ストラップ取付用のストラップ取付部が設けられている（例えば特許文献１参照）。
【特許文献１】特開平１０−１３３２７４号公報
【発明の開示】
【発明が解決しようとする課題】
【０００３】
ところで、上述の撮像装置を小型化していくと、ケースを把持しにくくなり、また、表示面を除くケース部分の面積が削減されるため、ケースを指で把持した際に表示面に指がかかって表示パネルが隠されてしまったり表示面に指紋が付くなどの不具合が発生することが想定される。
本発明は前記ストラップ取付部に着目してなされたものであり、ストラップ取付部を有効に利用することでケースの小型化を図りつつケースを把持しやすい撮像装置を提供することにある。
【課題を解決するための手段】
【０００４】
上述の目的を達成するため、本発明の撮像装置は、ケースと、前記ケースに該ケースの前方に臨むように設けられたレンズ鏡筒と、前記ケースの後面に該ケースの後方に臨むように設けられ前記レンズ鏡筒で撮像した像を表示する表示面とを備えた撮像装置であって、前記ケースの縁部にストラップ取付用のストラップ取付部が設けられ、前記ストラップ取付部は、前記ケースの前面に中指または薬指または中指および薬指の双方を当て付けかつ該ストラップ取付部に親指を当て付けた状態で前記ケースを片手で保持できる輪郭で形成されていることを特徴とする。
また本発明の撮像装置は、ケースと、前記ケースに該ケースの前方に臨むように設けられたレンズ鏡筒と、前記ケースの後面に該ケースの後方に臨むように設けられ前記レンズ鏡筒で撮像した像を表示する表示面とを備えた撮像装置であって、前記ケースの縁部にストラップ取付用のストラップ取付部が設けられ、前記ストラップ取付部は、前記ケースの外側に突出する壁部と、前記壁部に設けられたストラップ挿通用の孔とで構成され、前記壁部は、前記ケースの前面に中指または薬指または中指および薬指の双方を当て付けかつ前記壁部に親指を当て付けた状態で前記ケースを片手で保持できる輪郭で形成されていることを特徴とする。
【発明の効果】
【０００５】
そのため、本発明によれば、撮像装置を把持する際、親指を除く４つの指をケースの前面に当て付け、かつ、親指をストラップ取付部に当て付けてケースを片手で保持できるので、ケースの後面部分が親指を当て付けるためには狭い幅しか確保できない場合であっても、ストラップ取付部に親指を当て付けてケースをしっかりと保持することができ、親指で表示面が隠されてしまったり表示面に指紋が付くなどの不具合が発生することを防止でき、ケースの小型化を図りつつケースを把持しやすくする上で有利となる。
【発明を実施するための最良の形態】
【０００６】
ケースの小型化を図りつつケースを把持しやすい撮像装置を提供するという目的を、ストラップ取付部に親指を当て付けた状態でケースを片手で保持できる輪郭で形成することによって実現した。
【実施例１】
【０００７】
次に本発明の実施例１について図面を参照して説明する。
図１（Ａ）は実施例１の撮像装置の正面図、（Ｂ）は（Ａ）のＢ矢視図、（Ｃ）は（Ａ）のＣ矢視図、図２（Ａ）は実施例１の撮像装置の後面図、（Ｂ）は（Ａ）のＢ矢視図、（Ｃ）は（Ａ）のＣ矢視図、図３は撮像装置のカバーが閉じた状態を示す正面図、図４は撮像装置の斜め前方から見た状態での内部構成を示す斜視図、図５は撮像装置の斜め後方から見た状態での内部構成を示す斜視図、図６はレンズ鏡筒の縦断面図、図７はレンズ鏡筒の右側部分の断面斜視図、図８はレンズ鏡筒の左側部分の断面斜視図、図９は撮像装置の制御系を示すブロック図、図１０はストラップ取付部部分の拡大図、図１１はストラップ取付部に親指を当て付けた状態を示す説明図である。
【０００８】
図１、図２に示すように、撮像装置１００はデジタルスチルカメラであって、外装を構成する矩形板状のケース１０２を有し、ケース１０２は、前後方向の厚さと左右方向の幅と上下方向の高さを有している。なお、本明細書においてケース１０２の左右はケース１０２を後方から見た状態でいうものとする。
【０００９】
図４、図５に示すように、ケース１０２の左側部には、図中二点鎖線で示すようにレンズ鏡筒１０が組み込まれている。
図６〜図９に示すように、レンズ鏡筒１０は、鏡筒１２と、対物レンズ１４と、撮像素子３０と、光学系１０４とを含んで構成されている。
本実施例では、光学系１０４は、反射部材１６と、ズーム用可動レンズ群１８と、フォーカス用可動レンズ群２０と、第１固定レンズ群２２と、第２固定レンズ群２４と、第３固定レンズ群２６を備えている。
鏡筒１２は、全体として幅および長さ並びに厚さを有し断面が矩形であり、鏡筒１２はその長さ方向を上下方向に向けてケース１０２に組み込まれている。
対物レンズ１４と撮像素子３０と光学系１０４とは鏡筒１２の幅方向の中央部で鏡筒１２の長さ方向に沿って並べられて配置されている。
対物レンズ１４は鏡筒１２の前面の上部に取着されている。対物レンズ１４は、図１（Ａ）に示すように、レンズ鏡筒１０がケース１０に組み込まれた状態で、ケース１０２の前面１０２Ａに設けられたレンズ開口１０３を介してケース１０２前方に臨んで配置される。
反射部材１６は、対物レンズ１４の後方に配置され対物レンズ１４で捉えた像を下部に向けて（撮像素子３０側に）反射させるもので本実施例ではプリズムが用いられている。
第１固定レンズ群２２、ズーム用可動レンズ群１８、第２固定レンズ群２４、フォーカス用可動レンズ群２０、第３固定レンズ群２６は、これらの順番で反射部材１６の下方の部品収容空間１２Ａにそれらの光軸を一致させた状態で配置されている。
第１固定レンズ群２２、第２固定レンズ群２４、第３固定レンズ群２６は移動不能に鏡筒１２に固定されている。
ズーム用可動レンズ群１８は、ズーム用レンズ枠１８Ａに保持され、ズーム用レンズ枠１８Ａに連結された従来公知のズーム用駆動機構（不図示）により光軸方向に移動されるように構成されている。
フォーカス用可動レンズ群２０は、フォーカス用レンズ枠２０Ａに保持され、フォーカス用レンズ枠２０Ａに連結された従来公知のフォーカス用駆動機構（不図示）により光軸方向に移動されるように構成されている。
撮像素子３０は、その撮像面を第３固定レンズ群２６に臨ませた状態で撮像素子取付板３２を介して鏡筒１２の下端に取着されている。
このような光学系１０４によれば、対物レンズ１４によって捉えられた被写体像は、反射部材１６でその光路が９０度屈曲された後、第１固定レンズ群２２、ズーム用可動レンズ群１８、第２固定レンズ群２４、フォーカス用可動レンズ群２０、第３固定レンズ群２６をこれらの順番で導かれ撮像素子３０の撮像面に結像される。
【００１０】
図１に示すように、ケース１０２の前面１０２Ａ左寄りの箇所には、撮影補助光を出射するフラッシュ１０８、セルフタイマーランプ１１０などが設けられている。
ケース１０２の前面にはカバー１１２が上下にスライド可能に設けられ、このカバー１１２は、１（Ａ）に示すようにレンズ開口１０３、フラッシュ１０８、セルフタイマーランプ１１０を前方に露出させる下限位置と、図３に示すように、これらレンズ開口１０３、フラッシュ１０８、セルフタイマーランプ１１０を覆う上限位置とにスライドされる。
ケース１０２の上面の右寄り箇所には、シャッターボタン１１４が設けられている。
図２、図４に示すように、ケース１０２内部には、ケース１０２の左右方向（幅方向）でレンズ鏡筒１０の反対側（右側）に長方形板状の表示パネル１１８（液晶表示器）が長辺を前記左右方向と平行させ、短辺を前記上下方向と平行させた状態で組み込まれている。言い換えると、表示パネル１１８はレンズ鏡筒１０の右に並べられてケース１０２内部の右側部寄りの箇所に配置されている。
表示パネル１１８は、レンズ鏡筒１０で撮像した静止画および動画などの画像や文字や記号などが表示される長方形状の表示面１１８Ａをケース１０２の後面１０２Ｂに開設された矩形状の開口１０２Ｃを介してケース１０２の後方に臨ませて配設されている。表示パネル１１８の表示面１１８Ａは単一の平面で構成され、表示面１１８Ａはケース１０２の後面１０２Ｂとほぼ同一面をなすように後面１０２Ｂと平行に延在している。
ここで、ケース１０２内部の左側にレンズ鏡筒１０が配置され、右側に表示パネル１１８が配置されているため、ケース１０２の後面１０２Ｂのうち開口１０２Ｃの右側に位置する後面１０２Ｂ部分は、この後面部分１０２Ｂに当て付けた親指が表示パネル１１８の表示面１１８Ａにかかる程度の狭い幅で形成されている。
さらに後面１０２Ｂには、撮影光学系１０４のズーミング動作を行なわせるためのズームスイッチ１２０、撮像装置１００を静止画撮影モード、動画撮影モード、再生・編集モードなどに切り替える操作、その他の操作を行なうため複数の操作ボタン１２２が設けられている。ズームスイッチ１２０は後面１０２Ｂの右側部の上部に配設され、複数の操作ボタン１２２は後面１０２Ｂの下部に左右に並べられて配設されている。
図１、図２、図４に示すように、ケース１０２の右側部には、静止画あるいは動画などの画像などを記録するための長方形板状のメモリカード１２４を装脱可能に収容するメモリ収容室（不図示）と、撮像装置１００の電源を構成する長方形板状のバッテリー１２６を装脱可能に収容するバッテリー収容室（不図示）とがケース１０２の上下方向（高さ方向）に並べて設けられている。前記メモリ収容室、バッテリー収容室はケース１０２の右側面１０２Ｄにヒンジを介して連結された開閉蓋１２８によって開閉される。
また、図４に示すように、メモリカード１２４およびバッテリー１２６がメモリ収容室およびバッテリー収容室に収容された状態で、表示パネル１１８とメモリカード１２４および表示パネル１１８とバッテリー１２６はそれぞれそれらの厚さ方向がケース１０２の前後方向（厚さ方向）と合致し前記厚さ方向に重ねられた状態でケース１０２内に位置している。
【００１１】
図９に示すように、撮像素子３０はＣＣＤやＣＭＯＳセンサなどで構成されている。
撮像素子３０で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４により表示パネル１１８の表示面１１８Ａに表示される。
さらに、撮像装置１００は、シャッターボタン１１４、ズームスイッチ１２０、操作スイッチ１２２の操作に応じて、画像処理部１３０、表示処理部１３４を制御するＣＰＵなどを含む制御部１３６を備えている。
【００１２】
図１、図２に示すように、ケース１０２の左右方向の一方の側部の縁部、本実施例では右側部１０２Ｄにストラップ取付用のストラップ取付部４０が設けられている。
ストラップ取付部４０は、ケース１０２の外側（右側方）に突出する壁部４００１と、壁部４００１に形成されたストラップ挿通用の孔４００６とで構成されている。
そして、壁部４００１は、ケース１０２の前面１０２Ａに右手の中指または薬指または中指および薬指の双方を当て付けかつ壁部４００１に右手の親指を当て付けた状態でケース１０２を右手で保持できる輪郭で形成されている。言い換えると、ストラップ取付部４０は、ケース１０２の前面１０２Ａに右手の中指または薬指または中指および薬指の双方を当て付けかつこのストラップ取付部４０に右手の親指を当て付けた状態でケース１０２を片手で保持できる輪郭で形成されている。
より詳細に説明すると、壁部４００１はケース１０２と一体的に設けられ、壁部４００１は右側部１０２Ｄの上下方向の中間部で上下方向にわたって延在形成されている。
本実施例では、図１１に示すように、壁部４００１は、親指Ｆの腹部（親指の先端から第１関節までの腹部）で親指の長手方向における少なくとも半分程度の部分が当て付けられる長さで上下方向に延在形成されている。
また、図１０（Ａ）、（Ｂ）に示すように、壁部４００１は、ケース１０２の後面１０２Ｂ寄りに設けられ、壁部４００１のうち後方に位置する箇所は、ケース１０２の後面１０２Ｂよりも後方に位置している。
壁部４００１は、ケース１０２の後方から見たときに親指の腹の部分を当て付けられる輪郭の上下に縦長の楕円形状で形成され、壁部４００１が撮像装置１００の後方に臨む箇所は後面４００２として形成され、後面４００２はその中央部に前方に窪む凹面４００４を含んで構成され、凹面４００４の中央にストラップ挿通用の孔４００６が貫設されている。
【００１３】
次に撮像装置１００の作用効果について説明する。
撮像装置１００を手で把持する際には、右手でケース１０２の右側部を把持する。
具体的には、右手の親指を除く４つの指（あるいは中指、薬指の２本の指、あるいは、中指、薬指、小指の３本の指）をケース１０２の前面１０２Ａの右側部に当て付け、かつ、右手の親指を壁部４００１の後面４００２に当て付けてケース１０２を保持し、シャッターチャンスに応じて右手の人差し指でシャッター１１４を押圧する。
したがって、開口１０２Ｃの右側に位置する後面１０２Ｂ部分が、親指を当て付けるためには狭い幅しか確保できない場合であっても、壁部４００１の後面４００２に右手の親指を当て付けてケース１０２を右手のみでしっかりと保持することができる。
また、図１１に示すように、壁部４００１に親指を当て付けた状態で、壁部４００１からはみ出る親指Ｆの部分は、親指全体に比べて小さい寸法であり、そのため、親指Ｆが表示パネル１１８の表示面１１８Ａにかかることが防止される。したがって、親指で表示面１１８Ａが隠されてしまったり表示面１１８Ａに指紋が付くなどの不具合が発生することを防止でき、ケース１０２の小型化を図りつつケース１０２を把持しやすくする上で有利となる。
【００１４】
また、本実施例では、壁部４００１の後方箇所、すなわち後面４００２がケース１０２の後面１０２Ｂよりも後方に位置しているため、壁部４００１の後面４００２に当て付けた親指と表示パネル１１８の表示面１１８Ａとの間を前後方向においても離間させることができ、壁部４００１に親指を当て付けた状態で、壁部４００１からはみ出る左右方向の親指部分が表示面１１８Ａに接触することを防止でき、したがって、親指が表示面１１８Ａに接触することを防止する上でさらに有利となる。
また、本実施例では、壁部４００１の後面４００２は前方に窪む凹面４００４を含んで構成されているため、後面４００２に親指を当て付けたときに親指の腹（ふくらみ）との接触面積を凹面４００４により大きく確保することができケース１０２を確実に把持する上であるいは親指とストラップ取付部４０とのフィット感を高める上でより有利となる。
なお、壁部４００１は、ケース１０２の前面１０２Ａに右手の中指または薬指または中指および薬指の双方を当て付けかつ壁部４００１に右手の親指を当て付けた状態でケース１０２を保持できる輪郭で形成されていればよく、平面で構成されていてもよいが、実施例のように壁部４００１の後面４００２に凹面４００４を設けたり、あるいは、壁部４００１をリング状（輪状）に形成すると、親指の腹（ふくらみ）との接触面積を大きく確保する上で、また、親指とのフィット感を高める上で有利となる。
また、壁部４００１のストラップ挿通用の孔４００６はストラップが挿通されストラップ取付部４０に連結されればよいので、孔４００６と接続する切欠が壁部４００１の外縁に開放されていてもよい。
【００１５】
また、表示パネル１１８がその表示面１１８Ａに触れることでスイッチとしての機能を果たすタッチパネルとして構成されている場合には撮像装置１００を把持した際に前記タッチパネルに親指が触れて誤操作してしまう不都合が懸念される。
しかしながら本発明では、撮像装置１００を把持する際に、壁部４００１に親指を当て付けた状態で、壁部４００１からはみ出る親指部分の寸法は小さく親指部分が表示面１１８Ａに接触することを防止できるので、前記タッチパネルに親指が触れて誤操作することを防止する上で有利となる。
なお、このように表示パネル１１８がタッチパネルとして構成されている場合には、図２（Ａ）に二点鎖線で示すように、表示パネル１１８の表示面１１８Ａの左右方向のうち少なくともストラップ取付部４０寄りの領域をタッチパネルのスイッチを形成しない非スイッチ領域ΔＷとして設定しておくことが表示面１１８Ａに対する親指の接触を防止する上で好ましく、具体的には、非スイッチ領域ΔＷは表示面１１８Ａの左右方向の少なくとも１／４の割合で設定することが誤操作を確実に防止する上で好ましい。このような非スイッチ領域ΔＷの設定は、少なくとも撮像装置１００が撮影可能な状態であるときに有効とされていればよい。
【実施例２】
【００１６】
次に本発明の実施例２について説明する。
実施例２が実施例１と異なるのは、ストラップ取付部の壁部がケースに対して出没可能に構成されている点である。
図１２はストラップ取付部の動作説明図、図１３はストラップ取付部の構成を示す斜視図である。なお、実施例２において実施例１と同様の部分には同一の符号を付して説明する。
ストラップ取付部５０は、実施例１とは異なりケース１０２とは別部材であるストラップ取付部材５２で構成されている。
ストラップ取付部５０は、湾曲しつつ上下に延在する部分とこの部分の両端から互いに平行して延在する直線部分とからなる壁部５００１を有している。
また、壁部５００１の上下の直線部分の端部にそれぞれ第１腕部５４が屈曲形成され、これら第１腕部５４の先端にそれぞれ第２腕部５６が屈曲形成されている。
また、両第１腕部５４の対向する箇所には係合部５８が設けられ、係合部５８は、壁部５００１寄りに位置する第１係合部５８０２と、壁部５００１から離れた位置に位置する第２係合部５８０４と、これら第１、第２係合部５８０２，５８０４の間を接続する滑らかな曲面部５８０６とで構成されている。
【００１７】
上述の構成からなるストラップ取付部材５２はケース１０２に次のように組み込まれている。
図１２に示すように、ケース１０２の内部の右側部に第１、第２腕部５４，５６が位置するように、第１、第２腕部５４，５６がケース１０２の後面１０２Ｂの２つの開口１０２Ｅを介してケース１０２の内部に組み込まれる。そして、ストラップ取付部材５２は、ケース１０２内に配設された付勢部材５８０８が係合部５８に弾接することでケース１０２の右側方に突出する方向に付勢されている。
また、ケース１０２の内部の右側部には、上下方向に延在する断面矩形状のロック部材６００２が設けられ、このロック部材６００２は付勢部材６００６によりケース１０２の後面１０２Ｂに突出する方向に常時付勢され、ロック部材６００２に設けられたロック解除ボタン６２がケース１０２の孔１０２Ｆから後方に突出している。このロック解除ボタン６２はケース１０２の後面１０２Ｂの右側部で壁部５００１の上下方向における中央に位置するように配置され、本実施例では壁部５００１に当て付けた親指により簡単に操作できる後面１０２Ｂの右縁部寄り箇所に設けられている。
そして、ロック解除ボタン６２がケース１０２から突出した位置で、ロック部材６００２の上下両端がそれぞれ第１係合部５８０２に当接し、この状態でストラップ取付部５０は没入位置にロックされるように構成されている。
また、ロック解除ボタン６２を押すと、付勢部材５８０８によりストラップ取付部材５２がケース１０２の右側方に移動しロック部材６００２の上下両端がそれぞれ第２係合部５８０４に当接し、この状態でストラップ取付部５０は突出位置に位置するように構成されている。
さらにこの突出位置からストラップ取付部５０をケース１０２に押し込むと、第１腕部５４が開口１０２Ｅの縁に当たり、この状態でロック部材６００２が付勢部材６００６により突出され、ロック解除ボタン６２がケース１０２から突出し、ロック部材６００２の上下両端が第１係合部５８０２に係合し、前記の没入位置となるように構成されている。
なお、実施例２では、壁部５００１とケース１０２の後面１０２Ｂ右側部との間にストラップ挿通用の孔５００２が形成されることになり、この孔は前記突出位置でその左右方向の幅が広がり、また、前記没入位置でその左右方向の幅が狭まるが、この没入位置においてもその左右方向の幅が、ストラップを挿通するに足る寸法が確保されるように形成されている。
本実施例では、ロック部材６００２、付勢部材６００６、係合部５８、付勢部材５８０８によって特許請求の範囲のロック機構が構成されている。
【００１８】
実施例２では、図１２（Ｂ）に示すように、ストラップ取付部５０が突出位置に位置した状態で、壁部５００１は、ケース１０２の前面１０２Ａに右手の中指または薬指または中指および薬指の双方を当て付けかつ壁部５００１に右手の親指を当て付けた状態でケース１０２を片手で保持できる輪郭で形成されている。
本実施例では、この状態で壁部５００１からはみ出しケース１０２の後面１０２Ｂの右側部にかかる親指部分の面積が可及的に小さくなるように形成されている。
また、本実施例では、壁部５００１は、親指の腹部で親指の長手方向における少なくとも半分程度の部分が当て付けられる長さで上下方向に延在形成されている。
また、図１２（Ａ）、（Ｂ）に示すように、壁部５００１は、ケース１０２の後面１０２Ｂ寄りに設けられ、壁部５００１のうち後方に位置する箇所は、ケース１０２の後面１０２Ｂよりも後方に位置する後面５００４として形成されている。
【００１９】
実施例２によれば、撮影時には壁部５００１を前記突出位置に位置させることによって実施例１と同様の作用効果を奏することができることは無論のこと、携帯時や収納時には壁部５００１を前記没入位置に位置させることによって撮像装置１００の左右方向の占有スペースを縮小できるので撮像装置１００の携帯性や収納性を向上させる上で有利となる。
また、ロック機構６０のロックを解除する解除ボタン６２が、壁部５００１に当て付けた親指で操作できるケース１０２の後面１０２Ｂ箇所に設けられているので、ロック解除時の操作、すなわち撮影時の操作が容易となり操作性を向上させる上で有利となる。
【００２０】
なお、各実施例においては、レンズ鏡筒１０の光学系１０４がその光路を９０度屈曲されるものとして説明したが、レンズ鏡筒１０は光路を屈曲させないものであってもよいし、また、レンズ鏡筒がケース１０２の前面１０２Ａに対して出没する沈胴式レンズで構成されていてもよいことは無論である。
また、各実施例では、右利きのユーザーを対象とした撮像装置について説明したが、本発明は左利きのユーザーを対象とした撮像装置にも無論適用される。この場合には、ケース１０２の左側部にストラップ取付用のストラップ取付部が設けられ、ストラップ取付部は、ケースの前面に左手の中指または薬指または中指および薬指の双方を当て付けかつ該ストラップ取付部に左手の親指を当て付けた状態でケースを左手で保持できる輪郭で形成され、それら部材の詳細は各実施例と同様である。
また、各実施例では、撮像装置としてデジタルスチルカメラを例示したが、本発明はビデオカメラやテレビカメラなど撮像装置に無論適用可能である。
【図面の簡単な説明】
【００２１】
【図１】実施例１の撮像装置の外観図である。
【図２】実施例１の撮像装置の外観図である。
【図３】実施例１の撮像装置の正面図である。
【図４】撮像装置の斜め前方から見た状態での内部構成を示す斜視図である。
【図５】撮像装置の斜め後方から見た状態での内部構成を示す斜視図である。
【図６】レンズ鏡筒の縦断面図である。
【図７】レンズ鏡筒の右側部分の断面斜視図である。
【図８】レンズ鏡筒の左側部分の断面斜視図である。
【図９】撮像装置の制御系を示すブロック図である。
【図１０】ストラップ取付部部分の拡大図である。
【図１１】ストラップ取付部に親指を当て付けた状態を示す説明図である。
【図１２】実施例２におけるストラップ取付部の動作説明図である。
【図１３】ストラップ取付部の構成を示す斜視図である。
【符号の説明】
【００２２】
１００……撮像装置、１０……レンズ鏡筒、１２……鏡筒、１４……対物レンズ、１０２……ケース、１０４……光学系、１１８……表示パネル、４０、５０……ストラップ取付部、４００１、５００１……壁部、４００６、５００４……ストラップ挿通用の孔。
【図１】
2005284006.tif 000003
【図２】
2005284006.tif 000004
【図３】
2005284006.tif 000005
【図４】
2005284006.tif 000006
【図５】
2005284006.tif 000007
【図６】
2005284006.tif 000008
【図７】
2005284006.tif 000009
【図８】
2005284006.tif 000010
【図９】
2005284006.tif 000011
【図１０】
2005284006.tif 000012
【図１１】
2005284006.tif 000013
【図１２】
2005284006.tif 000014
【図１３】
2005284006.tif 000015